(57)【要約】      （修正有）【課題】認証機構とシーケンス番号生成ユニット及びビデオ-オーディオデータユニットを利用して、プレイヤーの各データの入力と認証を行い、また、テスト機構で、プレイヤーに対して、関連するテストを行い、それにより、プレイヤーは、安全保護と快速認証の効果が得られるビデオ-オーディオマルチメディアプレイヤー量産認証装置を提供する。【解決手段】少なくとも、外部接続インターフェースとストレージユニットとが備えられるプレイヤー１と、少なくとも、上記の外部接続インターフェースに接続される接続インターフェースが備えられる認証機構２と、上記の接続インターフェースに接続されるシーケンス番号生成ユニット３と、上記の接続インターフェースに接続されるビデオ-オーディオデータユニット４と、上記の外部接続インターフェースに接続されるテスト機構５と、が含有される。【選択図】図１
0003145710.tif 000002
【実用新案登録請求の範囲】
【請求項１】
少なくとも、外部接続インターフェースとストレージユニットとが備えられるプレイヤーと、
少なくとも、上記の外部接続インターフェースに接続される接続インターフェースが備えられる認証機構と、
上記の接続インターフェースに接続されるシーケンス番号生成ユニットと、
上記の接続インターフェースに接続されるビデオ-オーディオデータユニットと、
上記の外部接続インターフェースに接続されるテスト機構と、
が含有される、ことを特徴とするビデオ-オーディオマルチメディアプレイヤー量産認証装置。
【請求項２】
該プレイヤーは、MP3プレイヤーであることを特徴とする請求項１に記載のビデオ-オーディオマルチメディアプレイヤー量産認証装置。
【請求項３】
該プレイヤーは、更に、入力ユニットと出力ユニット及び表示ユニットが備えられることを特徴とする請求項１に記載のビデオ-オーディオマルチメディアプレイヤー量産認証装置。
【請求項４】
該外部接続インターフェースは、USBやPCMCIA、Card Bus或いはSATAインターフェースから選ばれた何れかの一つであることを特徴とする請求項１に記載のビデオ-オーディオマルチメディアプレイヤー量産認証装置。
【請求項５】
該認証機構は、更に、中央制御ユニットと、それぞれ、中央制御ユニットに接続される入力ユニットと表示ユニット、書込みユニット、読取りユニット、暗号化ユニット、記憶ユニット、及び書込みユニットと読取りユニット及び接続インターフェースが接続されるマルチプレクサが備えられることを特徴とする請求項１に記載のビデオ-オーディオマルチメディアプレイヤー量産認証装置。
【請求項６】
該接続インターフェースは、USBやPCMCIA、Card Bus或いはSATAインターフェースから選ばれた何れかの一つであることを特徴とする請求項１に記載のビデオ-オーディオマルチメディアプレイヤー量産認証装置。
【請求項７】
該テスト機構は、コンピュータであることを特徴とする請求項１に記載のビデオ-オーディオマルチメディアプレイヤー量産認証装置。
【考案の詳細な説明】
【技術分野】
【０００１】
本考案は、ビデオ-オーディオマルチメディアプレイヤー量産認証装置に関し、特に、認証機構とシーケンス番号生成ユニット及びビデオ-オーディオデータユニットを利用して、プレイヤーの各データの入力と認証を行い、また、テスト機構で、プレイヤーに対して、関連するテストを行い、それにより、プレイヤーは、安全保護と快速認証の効果が得られるものに関する。
【背景技術】
【０００２】
一般の、従来のビデオ-オーディオマルチメディアプレイヤー６は、量産認証やテストを行う時、一般として、直接に、コンピュータ７でデータの入力と関連テストを行い（図３のように）、それにより、プレイヤー６を製造する時に必要とするデータ入力と関連テストを行う。
【０００３】
上記の従来の方式は、直接に、コンピュータ７で、プレイヤー６に対して、関連テストを行うため、該プレイヤー６が、データ入力や量産認証及びテストを行う時、暗号化機能が得られないため、該プレイヤー６が量産される時、容易に、関連データ（例えば、数字データや文字データ、ビデオ-オーディオデータ歌曲データ、歌詞データ、画像データ、映画データ、シーケンス番号及びパスワード等である）が漏出され、それから、それらの関連データにより、様々の問題が起こり、また、データ入力や量産認証及びテスト等の作動が、全部、コンピュータ７で実行すると、容易に、データの大量化とコマンドの複雑化により、認証のスピードが遅くなる恐れがある。
【考案の開示】
【考案が解決しようとする課題】
【０００４】
本考案の主な目的は、認証機構とシーケンス番号生成ユニット及びビデオ-オーディオデータユニットを利用して、プレイヤーの各データの入力と認証を行い、また、テスト機構で、プレイヤーに対して、関連するテストを行い、それにより、プレイヤーは、安全保護と快速認証の効果が得られる。
【課題を解決するための手段】
【０００５】
本考案は、上記の目的を達成するため、少なくとも、外部接続インターフェースとストレージユニットとが備えられるプレイヤーと、少なくとも、上記の外部接続インターフェースに接続される接続インターフェースが備えられる認証機構と、上記の接続インターフェースに接続されるシーケンス番号生成ユニットと、上記の接続インターフェースに接続されるビデオ-オーディオデータユニットと、上記の外部接続インターフェースに接続されるテスト機構と、が含有されるビデオ-オーディオマルチメディアプレイヤー量産認証装置である。
【考案を実施するための最良の形態】
【０００６】
図１と図２は、それぞれ、本考案の基本構成概念図と本考案の使用状態のブロック概念図である。図のように、本考案は、ビデオ-オーディオマルチメディアプレイヤー量産認証装置であり、少なくとも、プレイヤー１と認証機構２、シーケンス番号生成ユニット３、ビデオ-オーディオデータユニット４及びテスト機構５から構成される。
【０００７】
上記のプレイヤー１は、MP3プレイヤーで、少なくとも、外部接続インターフェース１１とストレージユニット１２、入力ユニット１３、出力ユニット１４及び表示ユニット１５が備えられ、また、該外部接続インターフェース１１は、USBやPCMCIA、Card Bus或いはSATAインターフェースから選ばれた何れかの一つである。
【０００８】
該認証機構２は、少なくとも、上記の外部接続インターフェース１１に接続される接続インターフェース２１があり、該接続インターフェース２１は、外部接続インターフェース１１に対応して、USBやPCMCIA、Card Bus或いはSATAインターフェースから選ばれた何れかの一つであり、また、該認証機構２は、更に、中央制御ユニット２２と、それぞれ、中央制御ユニット２２に接続される入力ユニット２３と表示ユニット２４、書込みユニット２５、読取りユニット２６、暗号化ユニット２７及び記憶ユニット２８と、書込みユニット２５と読取りユニット２６及び接続インターフェース２１が接続されるマルチプレクサ２９が備えられる。
【０００９】
該シーケンス番号生成ユニット３は、上記の接続インターフェース２１に接続される。
【００１０】
該ビデオ-オーディオデータユニット４は、上記の接続インターフェース２１に接続される。
【００１１】
該テスト機構５は、上記のプレイヤー１の外部接続インターフェース１１に接続され、また、該テスト機構は、コンピュータであっても良い。上記の構造により、新規のビデオ-オーディオマルチメディアプレイヤー量産認証装置が構成される。
【００１２】
本考案によれば、該プレイヤー１の外部接続インターフェース１１と認証機構２の接続インターフェース２１とを接続し、認証機構２の入力ユニット２３から関連情報が入力され、また、表示ユニット２４により、すべての認証状態を表示し、そして、シーケンス番号生成ユニット３とビデオ-オーディオデータユニット４で、数字データや文字データ及びビデオ-オーディオデータ（例えば、歌曲データや歌詞データ、画像データ、映画データ等である）を、接続インターフェース２１を介して、マルチプレクサ２９に伝送し、これにより、中央制御ユニット２２は、マルチプレクサ２９で、読取りユニット２６から読取るそれらの数字データや文字データ及びビデオ-オーディオデータを選択し、読取った後、暗号化ユニット２７で、それらの数字データや文字データ及びビデオ-オーディオデータに対して、必要とする暗号化を実行し、また、選択に応じて、一時に、記憶ユニット２８に格納して、すべてのデータが引き受けてから一括に処理するか、或いは、直接に、書込みユニット２５で、マルチプレクサ２９と接続インターフェース２１に合わせて、暗号化された数字データや文字データ及びビデオ-オーディオデータをプレイヤー１に伝送し、これにより、該プレイヤー１は、外部接続インターフェース１１で、暗号化された数字データや文字データ及びビデオ-オーディオデータを、ストレージユニット１２に格納することができる。
【００１３】
該プレイヤー１のストレージユニット１２は、暗号化された数字データや文字データ及びビデオ-オーディオデータを受信した後、テスト機構５とプレイヤー１の外部接続インターフェース１１との接続により、テスト機構５から、必要とする数字や文字及び復号識別子が入力され、そして、該プレイヤー１のストレージユニット１２に格納される数字データや文字データ及びビデオ-オーディオデータのシステムファイル（例えば、歌曲データや歌詞データ、画像データ、映画データ、シーケンス番号及びパスワード等である）を読取り、該プレイヤー１に対して、認証機構２によって認証されることが成功であるかをテストする。
【００１４】
以上のように、本考案に係るビデオ-オーディオマルチメディアプレイヤー量産認証装置は、有効に、従来の諸欠点を改善でき、認証機構やシーケンス番号生成ユニット及びビデオ-オーディオデータユニットを利用して、プレイヤーの各データの入力と認証を行い、また、テスト機構で、プレイヤーに対して、関連するテストを行い、プレイヤーは、安全保護と快速認証の効果が得られるため、本考案は、より進歩的かつより実用的で、法に従って実用新案登録請求を出願する。
【００１５】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【００１６】
【図１】本考案の基本構成概念図
【図２】本考案の使用状態のブロック概念図
【図３】従来の使用状態の概念図
【符号の説明】
【００１７】
（本考案部分）
１    プレイヤー
１１  外部接続インターフェース
１２  ストレージユニット
１３  入力ユニット
１４  出力ユニット
１５  表示ユニット
２    認証機構
２１  接続インターフェース
２２  中央制御ユニット
２３  入力ユニット
２４  表示ユニット
２５  書込みユニット
２６  読取りユニット
２７  暗号化ユニット
２８  記憶ユニット
２９  マルチプレクサ
３    シーケンス番号生成ユニット
４    ビデオ-オーディオデータユニット
５    テスト機構
（従来部分）
６    プレイヤー
７    コンピュータ
【図１】
0003145710.tif 000003
【図２】
0003145710.tif 000004
【図３】
0003145710.tif 000005